(57)【要約】  方法は、正則化による反復再構成アルゴリズムの更新アルゴリズムの正則化項をスケーリング値でスケーリングするステップを有する。スケーリング値は、少なくとも１つの次元で可変であり、それにより、前記反復再構成の前記正規化を前記少なくとも１つの次元で変化させる。方法は、少なくとも前記更新アルゴリズム、前記変化するスケーリングされた正則化項、及び投影データに基づき、画像を反復的に再構成するステップ、を更に有する。
2015516831.tif 000002
【特許請求の範囲】
【請求項１】
正則化による反復再構成アルゴリズムの更新アルゴリズムの正則化項をスケーリング値でスケーリングするステップと、
前記スケーリング値は少なくとも１つの次元で変化することにより、反復再構成の前記正則化を前記少なくとも１つの次元で変化し、
少なくとも前記更新アルゴリズム、前記変化するスケーリングされた正則化項、及び投影データに基づき、画像を反復的に再構成するステップと、
を有する方法。
【請求項２】
前記スケーリング値を前記投影データの関数として計算するステップと、
を更に有する請求項１に記載の方法。
【請求項３】
前記投影データの逆投影の平方根を計算することにより、前記スケーリング値を計算するステップと、
を更に有する請求項２に記載の方法。
【請求項４】
前記投影データ内のノイズは、前記投影データの強度に比例する、請求項１乃至３のいずれか一項に記載の方法。
【請求項５】
前記更新アルゴリズムは一定の正則化項を含み、各更新で前記一定の正則化項をスケーリング値で乗算するステップ、を更に有する請求項１乃至４のいずれか一項に記載の方法。
【請求項６】
前記スケーリング値は、検出された光子の合計又は平均数が高い画像領域内で、前記正則化強度が強くなり、検出された光子の数が低い画像内の領域内で前記正則化強度が弱くなるよう、前記正則化を変化させる、請求項１乃至５のいずれか一項に記載の方法。
【請求項７】
前記検出された光子の合計又は平均数が高い画像領域内の前記正則化のスケーリングは、前記更新アルゴリズムの強い更新値の影響を弱める、請求項６に記載の方法。
【請求項８】
前記検出された光子の合計又は平均数が低い画像領域内の前記正則化のスケーリングは、前記更新アルゴリズムの弱い更新値の影響を弱める、請求項６乃至７のいずれか一項に記載の方法。
【請求項９】
前記スケーリングは、前記正則化を少なくとも２つの次元で変化させる、請求項１乃至８のいずれか一項に記載の方法。
【請求項１０】
前記スケーリングは、前記正則化を少なくとも３つの次元で変化させる、請求項１乃至９のいずれか一項に記載の方法。
【請求項１１】
少なくとも１つのスケーリング係数アルゴリズムを有するスケーリング係数アルゴリズムバンクと、
前記少なくとも１つのスケーリング係数アルゴリズムに基づき正則化項スケーリング係数を生成するスケーリング係数生成器と、
正則化項を用いる少なくとも１つの反復再構成更新アルゴリズムを有する更新アルゴリズムバンクと、
スキャンの投影データを処理し、前記少なくとも１つの反復再構成アルゴリズム及び前記正則化項スケーリング係数に基づき画像を再構成する画像更新器と、
を有し、
前記スケーリング係数は、前記反復再構成アルゴリズムの前記正則化項を少なくとも１つの次元で変化させる、再構成器。
【請求項１２】
前記画像更新器は、前記投影データを処理するとき、前記正則化項を前記スケーリング係数で乗算する、請求項１１に記載の再構成器。
【請求項１３】
前記スケーリング係数生成器は、前記投影データの関数として前記正則化項スケーリング係数を生成する、請求項１１乃至１２のいずれか一項に記載の再構成器。
【請求項１４】
前記スケーリング係数生成器は、前記投影データの逆投影の平方根として前記正則化項スケーリング係数を生成する、請求項１３に記載の再構成器。
【請求項１５】
前記投影データのノイズは、前記投影データの強度に比例する、請求項１１乃至１４のいずれか一項に記載の再構成器。
【請求項１６】
前記スケーリング係数は、検出された光子の合計又は平均数が高い画像領域内で、前記正則化強度が強くなり、検出された光子の数が低い画像内の領域内で前記正則化強度が弱くなるよう、前記正則化を変化させる、請求項１１乃至１５のいずれか一項に記載の再構成器。
【請求項１７】
前記検出された光子の合計又は平均数が高い画像内の領域内の正規化のスケーリングは、前記更新アルゴリズムの強い更新値の影響を弱め、前記検出された光子の合計又は平均数が低い画像内の領域内のスケーリングは、前記更新アルゴリズムの弱い更新値の影響を弱める、請求項１６に記載の再構成器。
【請求項１８】
複数のスケーリング係数アルゴリズムを視覚的に提示し、前記複数のスケーリング係数アルゴリズムのうちユーザの選択した１つを示す信号を受信する制御装置、
を更に有し、前記スケーリング係数生成器は、前記複数のスケーリング係数アルゴリズムのうち前記ユーザの選択した１つに基づき、前記正則化項スケーリング係数を生成する、請求項１１乃至１７のいずれか一項に記載の再構成器。
【請求項１９】
コンピュータ可読命令を符号化されたコンピュータ可読記憶媒体であって、前記コンピュータ可読命令は、プロセッサにより実行されると、前記プロセッサに、
投影データを再構成することにより、正則化による反復再構成アルゴリズムを用いて画像を生成させ、前記正則化による反復再構成アルゴリズムでは、前記反復再構成アルゴリズムの更新アルゴリズムの正則化項は、前記投影データ内で検出された光子の数に基づき、少なくとも１つの次元を変化させる、コンピュータ可読記憶媒体。
【請求項２０】
前記プロセッサは、前記コンピュータ可読命令を実行するとき、前記プロセッサに、
前記投影データの逆投影の平方根を計算し、
前記計算された値を用いて、前記少なくとも１つの次元で、前記正則化項をスケーリングし及び変化させる、
請求項１９に記載のコンピュータ可読記憶媒体。
【請求項２１】
前記プロセッサは、前記コンピュータ可読命令を実行するとき、前記プロセッサに、
前記投影データの関数としてスケーリング値を計算し、
前記計算された値を用いて、前記少なくとも１つの次元で、前記正則化項をスケーリングし及び変化させる、
請求項１９に記載のコンピュータ可読記憶媒体。
【請求項２２】
検出された光子の合計又は平均数が高い画像領域内での前記正則化のスケーリングが前記更新アルゴリズムの強い更新値の影響を弱めるように、正則化による反復再構成アルゴリズムの更新アルゴリズムの正則化項をスケーリングするステップ、
を有する方法。
【発明の詳細な説明】
【技術分野】
【０００１】
以下は、概して、正則化による反復画像再構成に関し、ＣＴ（computed  tomography）への特定の用途を見出す。以下は、ハイブリッドＣＴ／ＰＥＴ（positron  emission  tomography）、ハイブリッドＣＴ／ＭＲ（magnetic  resonance）、デジタルＸ線、及び／又は他の画像化モダリティのような他の画像化モダリティにも従う。
【背景技術】
【０００２】
ＣＴスキャナは、ｚ軸周囲の検査領域の周りを回転する回転ガントリに取り付けられるＸ線管を含む。検出器アレイは、Ｘ線管から検査領域の反対の角度弧に内在する。Ｘ線管は、検査領域を横切る放射を発する。検出器アレイは、検査領域を横切る放射を検出し、それを示す投影データを生成する。再構成器は、検査領域を示す画像を生成する反復又は非反復再構成アルゴリズムを用いて投影データを処理する。
【０００３】
正則化による反復画像再構成アルゴリズムは、データ比較項及び画像ノイズペナルティ項を含むコスト関数に基づいている。このようなコスト関数の一般的な式は、次の通りである。
Ψ（ｘ）＝−Ｌ（Ａｘ｜ｙ）＋β・Ｒ（ｘ）
ここで、Ψ（ｘ）はコスト関数を表す。Ｌ（Ａｘ｜ｙ）は、順投影画像（Ａｘ、ここで、Ａは順投影演算子であり、ｘは画像である）を測定データ（ｙ）と比較する尤度項を表す。Ｒ（ｘ）は、再構成画像内のノイズ（又は「粗さ」）にペナルティを科す粗さペナルティ項を表す。βは、正則化の強度を制御する正則化項を表す。ペナルティ項を有しないと、アルゴリズムは、データ内に存在するノイズに適合するために非常にノイズの多い画像に収束し得る。
【０００４】
通常、正則化項βは、自由パラメータであり、その値は手動で決定される。βの値は、最終再構成画像内のより多くの又はより少ないノイズを許容するために選択できる。残念ながら、βの値は、データセットに依存する傾向があり、したがって、異なる大きさの患者及び線量レベルで一貫したノイズレベルを達成するために患者毎に決定されるべきである。つまり、同じ値のβが異なる大きさの患者、異なる大きさの生体構造、及び／又は異なる管電流で取得されたデータセットに亘り使用される場合、結果として生じる反復的に再構成された画像に亘り一貫した画像品質が達成される可能性は低い。
【発明の概要】
【発明が解決しようとする課題】
【０００５】
本願明細書に記載の態様は、上述の問題及び他の問題を解決する。
【課題を解決するための手段】
【０００６】
一態様では、方法は、正則化による反復再構成アルゴリズムの更新アルゴリズムの正則化項をスケーリング値でスケーリングするステップを有する。スケーリング値は、少なくとも１つの次元で可変であり、それにより、前記反復再構成の前記正規化を前記少なくとも１つの次元で変化させる。方法は、少なくとも前記更新アルゴリズム、前記変化するスケーリングされた正則化項、及び投影データに基づき、画像を反復的に再構成するステップ、を更に有する。
【０００７】
別の態様では、再構成器は、少なくとも１つのスケーリング係数アルゴリズムを有するスケーリング係数アルゴリズムバンクと、少なくとも１つのスケーリング係数アルゴリズムに基づき正則化項スケーリング係数を生成するスケーリング係数生成器と、を有する。更新アルゴリズムバンクは、正則化項を用いる少なくとも１つの反復再構成更新アルゴリズムを有する。再構成器は、スキャンの投影データを処理し、前記少なくとも１つの反復再構成アルゴリズム及び前記正則化項スケーリング係数に基づき画像を再構成し、前記スケーリング係数は、前記反復再構成アルゴリズムの前記正規化項を少なくとも１つの次元で変化させる。
【０００８】
別の態様では、コンピュータ可読命令を符号化されたコンピュータ可読記憶媒体は、前記コンピュータ可読命令を符号化され、プロセッサにより実行されると、前記プロセッサに、投影データを再構成することにより、正則化による反復再構成アルゴリズムを用いて画像を生成させ、前記正則化による反復再構成アルゴリズムでは、前記反復再構成アルゴリズムの更新アルゴリズムの正則化項は、前記投影データ内で検出された光子の数に基づき、少なくとも１つの次元を変化させる。
【０００９】
別の態様では、方法は、検出された光子の合計又は平均数が高い画像領域内での前記正則化のスケーリングが前記更新アルゴリズムの強い更新値の影響を弱めるように、正則化による反復再構成アルゴリズムの更新アルゴリズムの正則化項をスケーリングするステップ、を有する。
【００１０】
本発明は、種々のコンポーネント及びコンポーネントの配置の形式、並びに種々のステップ及びステップの配置の形式を取ることができる。図面は、好適な実施形態を説明することのみを目的とし、本発明を限定するものと見なされるべきではない。
【図面の簡単な説明】
【００１１】
【図１】画像を再構成するために変化する正則化による反復再構成アルゴリズムを用いる再構成器を有する例示的な画像システムを図示する。
【図２】変化する正則化による反復再構成アルゴリズムを用いて画像を再構成する例示的な再構成器を図示する。
【図３】変化する正則化による反復再構成アルゴリズムを用いて画像を再構成する例示的な方法を示す。
【発明を実施するための形態】
【００１２】
以下は、概して、正則化による反復画像再構成に関する。以下に詳細に記載するように、本願明細書に記載のアプローチにより、正則化項βは、再構成中の投影データの光子数の逆投影に応じて変化する値でスケーリングされる。したがって、スケーリングされた正則化は、患者の大きさ、生体構造の大きさ、及び／又は管電流を考慮に入れる。これは、患者の大きさ、生体構造の大きさ、及び／又は管電流から独立した一貫した画像品質で画像を再構成できるようにする。
【００１３】
図１は、ＣＴ（computed  tomography）スキャナのような例示的な画像システム１００を示す。
【００１４】
画像システム１００は、静止ガントリ１０２及び回転ガントリ１０４を有する。回転ガントリ１０４は、静止ガントリ１０２により回転可能に支持され、ｚ軸周りの検査領域１０６の周りを回転する。
【００１５】
Ｘ線管のような放射源１０８は、回転ガントリ１０４により回転可能に支持され一緒に回転し、検査領域１０６を横切る放射を発する。
【００１６】
１又は２次元放射線感受性検出器アレイ１１０は、検査領域１０６に渡り放射源１０８と反対の角度弧に内在する。検出器アレイ１１０は、検査領域１０６を横切る放射を検出し、それを示す投影データを生成する。
【００１７】
再構成器１１２は、投影データを処理し、それを示す体積画像データを再構成する。本例では、再構成器１１２は、正則化アルゴリズムを有する反復再構成１１６のような、再構成アルゴリズムバンク１１４からの１又は複数の再構成アルゴリズムを用いて投影データを処理する。以下の更に詳述するように、ある例では、再構成器１１２は、反復再構成１１６の正則化項（β）のスケーリング係数（ｓ）を決定し、反復再構成中に正則化項をスケーリング係数でスケーリングする。このスケーリングは、投影データに基づく少なくとも１つの次元（例えば、１、２、３次元、等）における正則化を変化させる。
【００１８】
結果として、正則化は、患者及び／又はスキャンパラメータに固有であり、患者の大きさ、生体構造の大きさ、及び／又は管電流を考慮し、患者の大きさ、生体構造の大きさ、及び／又は管電流に無関係に複数の患者に亘り（例えば、画像ノイズに関して）一貫した画像品質を提供する。理解されるべきことに、所与のスキャンに用いられるスケーリング計数は、複数の所定のスケーリング計数から選択できる。例えば、ある例では、オペレータは、オペレータの選好、患者の大きさ、利用されるスキャンプロトコル、初期スカウトスキャン、及び／又は他の情報のような情報の関数であっても良い対象となる正則化レベルに依存して、低い、中程度の又は高いスケーリングの間で選択できる。
【００１９】
ベッドのような患者支持１１８は、人間又は動物の被検者のような物体又は被写体を検査領域１０６内に支持する。
【００２０】
汎用コンピューティングシステム又はコンピュータは、オペレータ制御装置１２０として機能する。制御装置１２０は、モニタのような人間が読み取り可能な出力装置と、キーボード、マウス、等のような入力装置と、を有する。制御装置１２０に存在するソフトウェアは、オペレータにＧＵＩ（graphical  user  interface）又は他のものを介してスキャナ１００と相互作用させ及び／又はそれを操作させる。例えば、制御装置１２０は、オペレータが、正則化アルゴリズムを有する反復再構成１１６及び／又は他のアルゴリズムのような対象となる再構成アルゴリズムを識別し、複数の利用可能スケーリング係数から正則化スケーリング係数を選択し、等、をできるようにする。
【００２１】
理解されるべきことに、再構成器１１２は、物理メモリ又は他の非一時的媒体のようなコンピュータ可読記憶媒体に埋め込まれ又は符号化された１又は複数のコンピュータ実行可能命令を実行する１又は複数のプロセッサ（ＣＰＵ（central  processing  unit）、マイクロプロセッサ（μ−ＣＰＵ）、等）により実装できる。追加又は代替で、少なくとも１つのコンピュータ実行可能命令は、搬送波、信号、又は他の一時的媒体により伝達できる。
【００２２】
さらに、再構成器１１２は、制御装置１２０、ローカルコンピューティング装置、及び／又はリモート（システム１００から離れた、例えば異なる部屋、設備、状態、等に置かれる）コンピューティング装置の一部であり得る。
【００２３】
図２は、再構成器１１２の一例を示す。
【００２４】
スケーリング係数生成器２０２は、検出器アレイ１１０（図１）から投影データを受信し、スケーリング係数アルゴリズムバンク２０６のスケーリング係数アルゴリズム２０４を用いて受信した投影データに基づきスケーリング係数ｓを生成する。適切なスケーリング係数アルゴリズムは、正則化項βと結合されるとき、正則化が少なくとも１つの次元で変化するように正則化項βを変化させるスケーリング係数アルゴリズムを含む。
【００２５】
このようなスケーリング係数アルゴリズムの非限定的な例を式１に示す。
式１：
ｓ＝（ＢＰ［ｙｉ］）ｎ
ここで、ｙｉは投影データを表し、ＢＰは逆投影演算子を表し、ｎは正の実数を表す。通常、ｙｉは、現在のスキャンの中の各積分期間内の各データ点について検出された光子数（又は信号強度）に比例する数である。また、ｉは、サイノグラム内の各データ点に亘るインデックスである。別の非限定的な例は、次の多項式関数である。
ｓ＝ａ＊（ＢＰ［ｙｉ］）ｋ＋ｂ＊（ＢＰ［ｙｉ］）ｋ−１＋．．．ｇ
ここで、ｋは正整数である。他のスケーリング係数アルゴリズムも本願明細書で考えられる。
【００２６】
画像更新器２０８は、スケーリング係数ｓ、投影データ、初期画像（例えば、全てゼロ、初期逆投影画像、ノイズ除去画像、等）、停止基準（例えば、時間制限、連続する再構成間の差分値、等）、正則化項βの所定値（例えば、デフォルト、ユーザ定義、経験的に決定された、等）、及び画像更新アルゴリズムバンク２１２の画像更新アルゴリズム２１０に基づき、画像を反復的に再構成する。
【００２７】
適切な画像更新アルゴリズム２１０の非限定的な例を式２に示す。
式２：
【００２８】
【数１】
2015516831.tif 000003
ここで、ｘｊｎ＋１は現在の画像を表す。ｘｊｎは前の画像を表す。Ｍは投影のサブセットの数を表す。ＢＰは逆投影演算子を表す。
【００２９】
【数２】
2015516831.tif 000004
は順投影画像を表す。ｙｉは投影データを表す。ａｉは線積分ｉに沿った順投影演算子Ａの重みの和を表す。Ψはペナルティ関数（例えば、Huber又は他のペナルティ）を表す。（ｘｊｎ−ｘｋｎ）は画像ボクセル勾配（又はボクセル間の差）を表す。ｗｋはボクセル間（例えば、中心から中心、又は他の距離、等）の重み付けを表す。ｋは近隣ピクセル（近隣ピクセルの全部又は部分集合）を表す。βは正則化項を表す。
【００３０】
画像更新器２０８は、式３に示すように、式２の正則化項βを式１でスケーリングする。
式３：
【００３１】
【数３】
2015516831.tif 000005
式３は、検出された光子の合計（又は平均）数が高い画像領域内で、正則化強度が強くなることを意味する。これは、式３の分子の左側で与えられる強い更新値の影響を弱める。また、式３は、検出された光子の数が低い画像領域内で、正則化強度が低減することを意味し、これらの領域内の低減した更新からの変化を再び平衡させる。
【００３２】
式２の更新アルゴリズムは、ポアソン（Poison）ノイズペナルティに基づく。ガウスノイズペナルティについて、適切な画像更新アルゴリズム２１０の非限定的な例を式４に示す。
式４：
【００３３】
【数４】
2015516831.tif 000006
ここで、ｆｉはデータ測定ｙｉに関連する線積分を表す。画像更新器２０８は、式５に示すように、式４の正則化項βを式１でスケーリングする。
式５：
【００３４】
【数５】
2015516831.tif 000007
式３及び５により、画像更新器２０８は、各反復で画像全体を一斉に更新する。代替で、画像更新器２０８は、ボクセル毎にボクセルの、ボクセルのグループ毎にボクセルのグループの、及び／又は画像全体の部分集合の更新を反復毎に実行できる。通常、更新アルゴリズム２１０は、一般的コスト関数Ψ（ｘ）＝−Ｌ（Ａｘ｜ｙ）＋β・Ｒ（ｘ）を解くいかなる反復再構成更新アルゴリズムにも基づき得る。ここで、正則化項βは、スケーリング係数でスケーリングされる。
【００３５】
ボクセルレベルで代わりに動作するアルゴリズムの非限定的な例は、J−B.Thibault,  K.D.Sauer,  C.A.Bouman,  J.Hsieh,  “Athree−dimensional  statistical  approach  to  improved  image  quality  for  multislice  helical  CT”,  Med.  Phys.  ３４(１１),  November  ２００７で議論されている。この文献に開示されたアルゴリズムは、反復座標下降又はＩＣＤ（iterative  coordinate  descent）として参照される。別の非限定的な例は、J.A.Fessler,  “Statistical  image  reconstruction  methods  for  transmission  tomography,”  Handbook  of  Medical  Imaging,  Volume  ２:  Medical  Image  Processing  and  Analysis,  pages  １.７０,  SPIE,  Bellingham,  ２０００で議論されている。
【００３６】
同様に、画像更新器２０８は、これらのアルゴリズムの中の正則化項を、スケーリング係数生成器２０２により生成されたスケーリング係数でスケーリングし得る。
【００３７】
図３は、本願明細書に記載の実施形態による例示的な方法を示す。
【００３８】
本願明細書に記載の方法の中の動作の順序は限定的でないことが理解されるべきである。したがって、他の順序が本願明細書で考えられる。さらに、１又は複数の動作は省略されても良く、及び／又は１又は複数の追加動作が含まれても良い。
【００３９】
３０２で、正則化を用いる反復再構成更新アルゴリズムが得られる。このようなアルゴリズムの非限定的な例は、上述の式と関連して議論される。
【００４０】
３０４で、スキャンからの投影データが得られる。
【００４１】
３０６で、初期画像が得られる。本願明細書で議論されるように、初期画像は、全てゼロ、フィルタリングされた逆投影画像、ノイズ除去画像、及び／又は他の画像であり得る。
【００４２】
３０８で、正則化項が得られる。本願明細書で議論されるように、正則化項はデフォルト項、ユーザ固有項、等であり得る。
【００４３】
３１０で、正則化項スケーリング係数は、得られた投影データに基づき生成される。本願明細書に記載するように、正則化項スケーリング係数は、投影データの光子数の逆投影（又はノイズ）に基づく。また、非限定的な一例は、投影データの逆投影の平方根を計算するステップを含む。
【００４４】
３１２で、正則化項スケーリング係数は、更新アルゴリズムに組み込まれる。
【００４５】
３１４で、画像は、少なくとも得られた反復再構成更新アルゴリズム、得られた投影データ、得られた初期画像、得られた正則化項、及び生成された正則化項スケーリング係数に基づき再構成される。
【００４６】
以上は、コンピュータプロセッサにより実行されると該プロセッサに上述の動作を実行させる、コンピュータ可読記憶媒体に符号化され又はそれに埋め込まれるコンピュータ可読命令により実装されてもよい。追加又は代替で、少なくとも１つのコンピュータ可読命令は、信号、搬送波、又は他の一時的媒体により伝達される。
【００４７】
本願明細書に記載されるように、スケーリングは、検出された光子の合計又は平均数が高い画像領域内で、正則化強度が強くなり、検出された光子の数が低い画像内の領域内で正則化強度が弱くなるよう、正則化を変化させる。
【００４８】
したがって、検出された光子の合計又は平均数が高い画像内の領域内のスケーリングは、更新アルゴリズムの強い更新値の影響を弱め、検出された光子の合計又は平均数が低い画像内の領域内のスケーリングは、更新アルゴリズムの弱い更新値の影響を弱める。
【００４９】
これは、患者の大きさ、生体構造の大きさ、及び／又は管電流と独立に一貫した画像品質で画像を再構成することを可能にする。
【００５０】
本発明は、好適な実施形態を参照して説明された。前述の詳細な説明を読み理解することで、変更及び代替が可能である。本発明は、このような全ての変更及び代替は添付の請求の範囲の範囲又はその等価物に包含されるものと見なされる。
【図１】
2015516831.tif 000008
【図２】
2015516831.tif 000009
【図３】
2015516831.tif 000010
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
正則化による反復再構成アルゴリズムの更新アルゴリズムの正則化項をスケーリング値でスケーリングするステップと、
前記スケーリング値は少なくとも１つの次元で変化することにより、反復再構成の前記正則化を前記少なくとも１つの次元で変化し、
前記更新アルゴリズムは、一定の正則化項を有し、
前記スケーリングするステップは、更新毎に、前記一定の正則化項を前記スケーリング値で乗算するステップを有し、
少なくとも前記更新アルゴリズム、前記変化するスケーリングされた正則化項、及び投影データに基づき、画像を反復的に再構成するステップと、
を有する方法。
【請求項２】
前記スケーリング値を前記投影データの関数として計算するステップと、
を更に有する請求項１に記載の方法。
【請求項３】
前記投影データの逆投影の平方根を計算することにより、前記スケーリング値を計算するステップと、
を更に有する請求項２に記載の方法。
【請求項４】
前記投影データ内のノイズは、前記投影データの強度に比例する、請求項１乃至３のいずれか一項に記載の方法。
【請求項５】
前記スケーリング値は、検出された光子の合計又は平均数が高い画像領域内で、前記正則化強度が強くなり、検出された光子の数が低い画像内の領域内で前記正則化強度が弱くなるよう、前記正則化を変化させる、請求項１乃至４のいずれか一項に記載の方法。
【請求項６】
前記検出された光子の合計又は平均数が高い画像領域内の前記正則化のスケーリングは、前記更新アルゴリズムの強い更新値の影響を弱める、請求項５に記載の方法。
【請求項７】
前記検出された光子の合計又は平均数が低い画像領域内の前記正則化のスケーリングは、前記更新アルゴリズムの弱い更新値の影響を弱める、請求項５乃至６のいずれか一項に記載の方法。
【請求項８】
前記スケーリングは、前記正則化を少なくとも２つの次元で変化させる、請求項１乃至７のいずれか一項に記載の方法。
【請求項９】
前記スケーリングは、前記正則化を少なくとも３つの次元で変化させる、請求項１乃至８のいずれか一項に記載の方法。
【請求項１０】
少なくとも１つのスケーリング係数アルゴリズムを有するスケーリング係数アルゴリズムバンクと、
前記少なくとも１つのスケーリング係数アルゴリズムに基づき正則化項スケーリング係数を生成するスケーリング係数生成器と、
正則化項を用いる少なくとも１つの反復再構成更新アルゴリズムを有する更新アルゴリズムバンクと、
スキャンの投影データを処理し、前記少なくとも１つの反復再構成アルゴリズム及び前記正則化項スケーリング係数に基づき画像を再構成する画像更新器と、
を有し、
前記画像更新器は、前記投影データを処理するとき、前記正則化項を前記スケーリング係数で乗算し、
前記スケーリング係数は、前記反復再構成アルゴリズムの前記正則化項を少なくとも１つの次元で変化させる、再構成器。
【請求項１１】
前記スケーリング係数生成器は、前記投影データの関数として前記正則化項スケーリング係数を生成する、請求項１２に記載の再構成器。
【請求項１２】
前記スケーリング係数生成器は、前記投影データの逆投影の平方根として前記正則化項スケーリング係数を生成する、請求項１１に記載の再構成器。
【請求項１３】
前記投影データのノイズは、前記投影データの強度に比例する、請求項１０乃至１２のいずれか一項に記載の再構成器。
【請求項１４】
前記スケーリング係数は、検出された光子の合計又は平均数が高い画像領域内で、前記正則化強度が強くなり、検出された光子の数が低い画像内の領域内で前記正則化強度が弱くなるよう、前記正則化を変化させ、前記検出された光子の合計又は平均数が高い画像領域内の正規化のスケーリングは、前記更新アルゴリズムの強い更新値の影響を弱め、前記検出された光子の合計又は平均数が低い画像領域内のスケーリングは、前記更新アルゴリズムの弱い更新値の影響を弱める、請求項１０乃至１３のいずれか一項に記載の再構成器。
【請求項１５】
複数のスケーリング係数アルゴリズムを視覚的に提示し、前記複数のスケーリング係数アルゴリズムのうちユーザの選択した１つを示す信号を受信する制御装置、
を更に有し、前記スケーリング係数生成器は、前記複数のスケーリング係数アルゴリズムのうち前記ユーザの選択した１つに基づき、前記正則化項スケーリング係数を生成する、請求項１０乃至１４のいずれか一項に記載の再構成器。
【国際調査報告】
2015516831.tif 000011